(57)【特許請求の範囲】
【請求項１】
ガラス繊維濾紙と微多孔性膜よりなる血液濾過材料と、それを収容するホルダーと、該ホルダーの下部に設けられた血液吸引ノズルと、該ホルダーの上部に設けられた濾過液出口及び該濾過液出口から吐出される濾過液を受ける濾過液受槽を有する複数の血液濾過ユニットと、各血液濾過ユニットの血液吸引ノズルが挿入されている複数の血液容器と、該血液容器を載置して搬送するコンベアと、減圧ラインに接続されたマニホルドと、該マニホルドの各枝管の先端に設けられた開閉弁および血液濾過ユニットへの接続具と、該血液容器を保持して上昇させて該接続具に血液濾過ユニットを接続させ、血液濾過終了後は接続具から切放された血液濾過ユニットを収容している血液容器を下降させてコンベアに戻す機構よりなる血液連続濾過装置
【発明の詳細な説明】
【０００１】
【発明の属する技術分野】
本発明は複数の試料を連続的に処理することが可能な血液連続濾過装置に関するものである。
【０００２】
【従来の技術】
血液中の構成成分例えば代謝産物、蛋白質、脂質、電解質、酵素、抗原、抗体などの種類や濃度の測定は通常全血を遠心分離して得られる血漿または血清を検体として行われている。ところが、遠心分離の場合はライン中で処理することができないため、時間がかかり、装置を設置する場所をも必要とする。特に少数の検体を急いで処理したいときや、現場検査などには、電気を動力とし、遠心分離機を必要とする遠心法は不向きである。そこで、濾過により全血から血漿を分離する方法が検討されてきた。
【０００３】
この濾過方法には、ガラス繊維濾紙をカラムに充填し、カラムの一方から全血を注入し、加圧や減圧を行なって他方から血漿や血清を得るいくつかの方法が公知化されている（特公昭４４−１４６７３号公報、特開平２−２０８５６５号公報、特開平４−２０８８５６号公報、特公平５−５２４６３号公報等）。
【０００４】
しかし、全血から濾過により自動分析等による測定に必要な量の血漿または血清を得る方法に関しては血糖など一部の項目を除いては、いまだ試行の段階にあり、広く実用化されるに至っていない。
【０００５】
そこで、本発明者らは先に、微量な血液であっても血漿や血清を効率よく分離しうる血液濾過ユニットとして、濾材にガラス繊維濾紙と微多孔性膜を組み合わせるとともに濾材の血漿出口側にシール部材を設けて濾過材料の開口面積を狭めた血液濾過ユニットを完成した（特開平９−１９６９１１号公報）。
【０００６】
また、その吸引側に血漿受槽を設けたものも既に開発した（特開平９−２７６６３１号公報）。
【０００７】
【発明が解決しようとする課題】
しかしながら、既に開発した血液濾過ユニットは一基づつ血液濾過を行なうものであったので、作業能率を高めるため血液濾過ユニットを用いて多数の血液検体を連続的に血液濾過できる血液連続濾過装置の開発が望まれていた。
【０００８】
本発明の目的は、血液濾過ユニットを用いて多数の血液検体を連続的に濾過して血漿や血清サンプルを短時間に作製しうる血液連続濾過装置を提供することにある。
【０００９】
【課題を解決するための手段】
本発明者らは、上記課題を解決するべく鋭意検討の結果、ガラス繊維濾紙と微多孔性膜よりなる血液濾過材料と、それを収容するホルダーと、該ホルダーの下部に設けられた血液吸引ノズルと、該ホルダーの上部に設けられた濾過液出口及び該濾過液出口から吐出される濾過液を受ける濾過液受槽を有する複数の血液濾過ユニットと、各血液濾過ユニットの血液吸引ノズルが挿入されている複数の血液容器と、該血液容器を載置して搬送するコンベアと、減圧ラインに接続されたマニホルドと、該マニホルドの各枝管の先端に設けられた開閉弁および血液濾過ユニットへの接続具と、該血液容器を保持して上昇させて該接続具に血液濾過ユニットを接続させ、血液濾過終了後は接続具から切放された血液濾過ユニットを収容している血液容器を下降させてコンベアに戻す機構よりなる血液連続濾過装置を開発するに至り、この血液連続濾過装置が上記目的を達成するものであることを見出して本発明を完成することができた。
【００１０】
【発明の実施の形態】
減圧ラインとマニホルドの間にはバッファータンクを設けることが好ましい。
【００１１】
バッファータンクは、密閉構造であって、ポンプが接続されて内部が減圧状態にされるものである。このバッファータンクは血液濾過ユニットの一部を着脱しても接続されている他の血液濾過ユニットの濾過を継続できる容量を有している。
【００１２】
マニホルドは減圧ラインと各血液濾過ユニットを接続するものであり、主管とそれから分岐する枝管よりなる。マニホルド主管は箱状あるいは直管状としてこれを固定して使用してもよく、円箱状あるいはリング状としてこれを回転させながら使用するようにしてもよい。リング状にした場合には減圧ライン接続口をリングの中心部に設けてリング状主管と接続口の間を連通管で接続するようにするのがよい。マニホルドの回転は連続的、間欠的のいずれであってもよい。
【００１３】
各枝管の先端には開閉弁と血液濾過ユニットへの接続具が設けられている。開閉弁は血液濾過ユニットの着脱に応じて開閉するものであり、弁はこれに対応できるものであれば如何なるものであってもよい。構造でいえば栓コックタイプのもの、押弁タイプのもの、蝶形弁タイプのもの、円板弁タイプのもの、仕切弁タイプのもの、ボール弁タイプのもの、椀形弁タイプのもの等を使用でき、作動形式でいえば、力学的に開閉させる方式や電磁弁等を使用できる。力学的に開閉させる場合には、弁の開閉方向と血液濾過ユニットの着脱方向が一致する場合には、接続具と弁体を連結杆等で接続させて接続具の移動で弁を開閉させることができる。その際、弁体には接続させないで血液濾過ユニット離脱の際の弁体の戻りを減圧ラインからの減圧によって行なわせることができる。弁の開閉方向と血液濾過ユニットの着脱方向が逆になる場合にはレバー機構によって方向を変えればよい。電磁弁を用いる場合には血液濾過ユニットの着脱の移動によってスイッチをオンオフさせればよい。
【００１４】
接続具は血液濾過ユニットの吸引口に接続して血液濾過ユニットをマニホルドを介して減圧ラインに連通させるものである。血液濾過ユニットの吸引口への当接部にはゴム等の柔軟部材あるいは弾性部材を貼着して気密性を容易に確保できるようにすることが望ましい。この接続具は上下動可能にして血液濾過ユニットの着脱への対応を容易にするとよい。この上下動を可能にする手段としては、マニホルドの枝管への接続を摺動構造にするとか、弾性材料のベロー管を用いるとかすればよい。マニホルドはゴムやプラスチック製の可撓性のチューブであっても良く、金属やガラスの管と可撓性材料とを組み合わせたものでも良い。
【００１６】
コンベアは血液容器を載置して搬送するものである。血液容器がラック等によって保持されている場合には単なる無端ベルトを走行させるものでよい。一方、コンベア自体に血液容器を保持するラック等を取り付けてこれを走行させるようにしてもよい。コンベアの走行は間欠的、連続的のいずれであってもよい。マニホルドを回転させる場合、コンベアの走行はマニホルドに同期させることもできる。
【００１７】
ラックは円盤であっても、平板であっても、帯状であっても良い。
【００１８】
ラックは、マニホルドの枝管接続端に血液濾過ユニットを着脱できるよう位置決めしかつ保持するものである。最も簡単な構造としては、血液濾過ユニットのホルダー外周にフランジが突出形成されている場合、該フランジと掛止保持できる複数の開口が形成されている板体や箱体をラックとして用いることができる。
【００１９】
血液容器の形状等は問わないが、例えば市販の真空採血管等をそのまま使用することができる。この場合には、血液濾過ユニットを載置するラックと、該ラックから血液濾過ユニットを取り出して真空採血管に設置する装置を設ける。血液濾過ユニットを内包している血液容器を使用する場合はこのような装置は不要となる。
【００２０】
血液容器の上下機構は、血液容器あるいはそれがラック等に保持されている場合にはラックを保持して上下させるものである。これらに加えて血液濾過ユニットも保持して同時に上下させることが好ましい。
【００２１】
血液濾過ユニットは血液濾過材料とこれを収容し血液入口と濾過液出口を有するホルダーよりなるものである。
【００２２】
血液濾過材料は、本発明の濾過材料では、その表面のみで血球をトラップするいわゆる表面濾過材料ではなく、厚さ方向に浸透するに従って、初めは大きな血球成分、後には小さな血球成分と徐々に空隙構造にからめ、厚さ方向に全長にわたって血球を留め除去していく、いわゆる体積濾過材料であるガラス繊維濾紙が使用される。ガラス繊維濾紙と微多孔性膜を組み合わせたものが特に好ましい。
【００２３】
ガラス繊維濾紙は密度が０．０５〜０．５程度、好ましくは０.０７〜０.３５程度、特に好ましくは０．０９〜０．２程度で、保留粒子径が０．８〜９μｍ程度、特に１〜５μｍ程度のものが好ましい。ガラス繊維の表面を、特開平２−２０８５６５号公報、同４−２０８８５６号公報に記載された様な方法で、親水性高分子で処理することによって濾過をより速やかに円滑に行なうことができる。また、ガラス繊維の表面をレクチンで処理することもできる。ガラス繊維濾紙は複数枚と積層して用いることができる。
【００２４】
表面を親水化されており血球分離能を有する微多孔性膜は、実質的に分析値に影響を与える程には溶血することなく、全血から血球と血漿を特異的に分離するものである。この微多孔性膜は孔径がガラス繊維濾紙の保留粒子径より小さくかつ０．２μｍ以上、好ましくは０．３〜５μｍ程度、より好ましくは０．５〜３μｍ程度のものが適当である。また、空隙率は高いものが好ましく、具体的には、空隙率が約４０％から約９５％、好ましくは約５０％から約９５％、さらに好ましくは約７０％から約９５％の範囲のものが適当である。微多孔性膜の例としてはポリスルホン膜、弗素含有ポリマー膜等がある。
【００２５】
好ましい微多孔性膜はポリスルホン膜、酢酸セルローズ膜等であり、特に好ましいのはポリスルホン膜である。本発明の血液濾過材料においてはガラス繊維濾紙が血液供給側に配置され、微多孔性膜が吸引側に配置される。最も好ましい材料は血液供給側からガラス繊維濾紙、ポリスルホン膜をこの順に積層した積層体である。
【００２６】
本発明で用いられる濾過材料は特開昭６２−１３８７５６〜８号公報、特開平２−１０５０４３号公報、特開平３−１６６５１号公報等に開示された方法に従って各層を部分的に配置された接着剤で接着して一体化することができる。
【００２７】
本方式により濾過し得る全血の量は、ガラス繊維濾紙中に存在する空間体積と全血中の血球の体積に大きく影響される。ガラス繊維濾紙の密度が高い（粒子保持孔径が小さい）と赤血球がガラス繊維濾紙の表面近傍にトラップされるので、表面からごく浅い領域でガラス繊維濾紙中の空間が閉塞状態になってしまうことが多い。従って、それ以上の濾過が進まず、結果として濾過、回収し得る血清量も少なくなる。この際、回収血清量を増やそうとして更に強い条件で加圧すると、血球の破壊、すなわち溶血が起きてしまう。つまり表面濾過に近いプロセスとなり、濾紙の空間体積利用効率は低い。
【００２８】
これに対し、ガラス繊維濾紙の密度を低くすると、血球は濾紙の深部（出口に近い領域）まで浸透していき血清が通過できる空間が増すので、濾紙全体の空間体積が有効に利用され、回収される血清の量も多くなる。
【００２９】
空間体積あるいは血清濾過量に対応する指標として、透水速度が有効である。透水速度は、入口と出口をチューブに接続できるように絞った濾過ユニット中に一定面積のガラス繊維濾紙を密閉保持し、一定量の水を加えて一定圧力で加圧または減圧したときの、単位面積あたりの濾過量を速度で表したものであり、ｍｌ／ｓｅｃ等の単位を持つ。
【００３０】
具体例としては、濾過ユニット中に直径２０ｍｍのガラス繊維濾紙をセットし、その上に１００ｍｌの注射筒をたてて６０ｍｌの水を入れて自然流下させ、開始後１０秒と４０秒の間の３０秒間にガラス濾紙中を通り抜けた水の量をもって透水量とし、これから単位面積あたりの透水速度を算出する。
【００３１】
血清の濾過に特に適しているのは透水速度が１．０〜１．３ｍｌ／ｓｅｃ程度のもので、例えば、ワットマン社ＧＦ／Ｄ、東洋濾紙ＧＡ−１００、同ＧＡ−２００等がある。さらに、市販のガラス繊維濾紙を熱水中で再分散してナイロンネット上で再抄紙して低密度濾紙（密度約０．０３）を作製することもでき、これは良好な血漿濾過特性を示す。
【００３２】
ガラス繊維濾紙の厚さは、回収すべき血清量とガラス繊維濾紙の密度（空隙率）及び面積から定められる。分析を乾式分析素子を用いて複数項目行なう場合の血漿の必要量は１００〜５００μｌであり、ガラス繊維濾紙の密度が０．０７〜０.２程度、面積が１〜５ｃｍ2程度が実用的である。この場合ガラス繊維濾紙の厚さは１〜１０ｍｍ程度、好ましくは２〜８ｍｍ程度である。このガラス繊維濾紙は複数枚、例えば２〜１０枚程度、好ましくは２〜６枚程度を積層して上記厚さとすることができる。
【００３３】
微多孔性膜の厚さは０．０５〜０．５ｍｍ程度、特に０．１〜０．３ｍｍ程度でよく、通常は１枚の微多孔性膜を用いればよい。しかしながら、必要により複数枚を用いることもできる。
【００３４】
血液濾過材料はホルダーに入れられる。このホルダーには血液入口と濾過液出口が設けられ、一般に血液濾過材料を収容する本体と、蓋体に分けた態様で作製される。通常は、いずれにも少なくとも１個の開口が設けられていて、一方は血液入口として、他方は濾過液出口として、場合により更に吸引口として使用される。吸引口を別に設けることもできる。ホルダーが四角形で蓋体を側面に設けた場合には血液入口と濾過液出口の両方を本体に設けることができる。
【００３５】
血液濾過材料収納部の容積は、収納すべき濾過材料の乾燥状態および検体（全血）を吸収し膨潤した時の総体積より大きい必要がある。濾過材料の総体積に対して収納部の容積が小さいと、濾過が効率良く進行しなかったり、溶血を起こしたりする。収納部の容積の濾過材料の乾燥時の総体積に対する比率は濾過材料の膨潤の程度にもよるが、通常１０１％〜４００％、好ましくは１１０％〜１５０％、更に好ましくは１２０％〜１４０％である。具体的には血漿や血清の必要量との関係で定まるが０．５〜２．５ｍｌ程度、通常０．６〜２．２ｍｌ程度である。
【００３６】
また、濾過材料と収納部の壁面との間は、全血を吸引した時に濾過材料を経由しない流路が出来ないように構成されている必要があることは勿論である。但し、微多孔性膜で止めうる程度の血球が漏れてきても支障はない。
【００３７】
血液を吸引するノズルはホルダーの血液入口に接続される。このノズルはホルダーと同体であっても別体であってもよい。別体の場合、ホルダー本体に固着して接続部が密閉構造になっていればよく、接続手段は接着、融着、螺着、嵌着、ネジ止等いかなる手段であってもよい。
【００３８】
濾過ユニットは、上記本体に蓋体が取付けられると、これらの血液入口と吸引口としても使用される濾過液出口を除いて全体が密閉構造になる。
【００３９】
ホルダーの材料はプラスチックが好ましい。例えば、ポリメタアクリル酸エステル、ポリエチレン、ポリプロピレン、ポリエステル、ナイロン、ポリカーボネート等の透明あるいは不透明の樹脂が用いられる。
【００４０】
上記本体と蓋体の取付方法は、接着剤を用いた接合、融着等如何なる手段によってもよい。この際、上記本体と蓋体のいずれの周縁が内側に位置してもよく、あるいは突き合わせ状態であってもよい。また、上記本体と蓋体をネジ等の手段で組立分解ができる構造とすることもできる。
【００４１】
血液濾過材料の形状に特に制限はないが、製造が容易なように、円形とすることが望ましい。この際、円の直径をホルダー本体の内径よりやや大きめとし、濾過材料の側面から血漿が漏れることを防ぐことができる。一方、四角形にすれば作製した血液濾過材料の切断ロスがなくなるので好ましい。
【００４２】
【実施例】
本発明の一実施例である血液連続濾過装置の構成を図１に示す。
【００４３】
この装置のマニホルド１はリング状をしており、血液濾過ユニット２に接続される枝管３はマニホルド主管の下縁から等間隔で下方に突出している。各枝管３の基部には弁４が、先端には接続具５が設けられている。
【００４４】
血液が収容されている真空採血管６がコンベア７により図面右方から間欠的に搬送され、血液濾過ユニットフィーダ８により供給される血液濾過ユニット２が真空採血管６に挿入される。そして、マニホルド１の真下に来ると接続具５が下降して血液濾過ユニット２の吸引口２２に当接し、弁４が開かれて吸引し、血液濾過を行う。また、ラック９が保持具（図示されていない。）によって保持されマニホルド１と同行する。マニホルドがゆっくり周回する間に血液濾過が終了し、接続具５が吸引口２２から放れて上昇し弁４も閉じる。真空採血管６はもとのコンベア７に戻り、さらに進行する。
【００４５】
こうして、マニホルド１の各枝管３の吸引によって、次々に送られてくる採血管６から次々と血液が濾過される。
【００４６】
別の実施例である血液連続濾過装置の構成を図２に示す。
【００４７】
この装置のマニホルド１は長箱形をしている。コンベア７によって搬送されてきた真空採血管６はセンサーあるいはバーコード等によって空いている枝管３の下に来るとクランプ７０によってラック９が掴持されて上昇し血液濾過が行われる。血液濾過が終了すると枝管３から切放されてもとのコンベアに戻り、さらに搬送される。
【００４８】
この装置で使用される血液濾過ユニットの例を次に示す。
【００４９】
この血液濾過ユニットは、図３に示すように、ホルダー１を有し、このホルダー１は、ホルダー本体１０と、その上部に密着固定された蓋体２０とからなっている。
【００５０】
このホルダー本体１０はハイインパクトポリスチレン樹脂で形成されたもので、血液濾過材料を構成するガラス繊維濾紙３０を収容するガラス繊維濾紙収納室１１が形成されるとともに、このガラス繊維濾紙収納室１１の上部において、血液濾過材料を構成する微多孔性膜としてのポリスルホン多孔性膜４０を収容する微多孔性膜収納室１２が形成されている。この微多孔性膜収納室１２は、下端においてガラス繊維濾紙収納室１１より大きい径の段部１９が形成されており、この段部１９にポリスルホン多孔性膜４０が載置された状態で収容される。また、この段部１９の外周縁から、上方に斜めに立ち上がった傾斜部１３が形成されており、傾斜部１３の上縁から外方にフランジ１４が形成されている。
【００５１】
一方、ホルダー本体１０の底部には、周縁よりやや内側にガラス繊維濾紙載置部１５を設けてそこから浅いロート状円板部１６が連接され、このロート状円板部１６の中心から下方にノズル状血液入口１７が延設されている。このノズル状血液入口１７には、血液濾過の際、吸引ノズル（図示せず）が装着される。上記ガラス繊維濾紙載置部１５は、ガラス繊維濾紙３０の下面をホルダー本体１０のロート状円板部１６から隔離させて空間１８を形成するスぺーサとしても機能している。
【００５２】
前記蓋体２０は、外側から、同心円の円筒状をした外壁２１、内壁２２及び濾過した血漿を貯溜するためのカップ２３が形成されている。前記外壁２１は、上方へ行くに従って外側へ広がるテーパー状に形成されており、この外壁２１の傾斜角は前記傾斜部１３の傾斜角と同一であり、また、外径が傾斜部１３の内径と同一となっている。すなわち、外壁２１が傾斜部１３に密着状態で嵌合するようになっている。また、外壁２１の周縁部には外方に突出するフランジ２４が形成され、このフランジ２４がホルダー本体１０のフランジ１４と超音波で接着されている。このフランジ２４の底面(フランジ１４と接着する面)には、図５に示すように、接着以前の段階において、接着の際超音波エネルギーをそこに集めて液密性を充分に確保した状態で接着できるように、リブ２５が形成されている（なお、接着後は溶融消滅している）。
【００５３】
また、蓋体２０の底面には、図５に示すように、１２個の突起２６が略均等な間隔で形成されており、この突起２６により、ポリスルホン多孔性膜４０が密着するのを防止している。
【００５４】
蓋体２０の内壁２２とカップ２３との間には、煙突状の血漿通路２７が蓋体２０を貫通して上方に突設されており、この血漿通路２７の上方には、血漿の噴出を阻止する庇２８が水平方向に形成されている。この庇２８は、図４に示されるように、大小２つの半円を組み合わせた形状をしており、内側の半円は血漿通路２７の外壁と一致している。また、血漿通路２７の上端内側部分は、カップ２３方向へ斜めになった流入部２９が形成され、濾過されて来た血漿２７がカップ２３内に容易に流れ込むようにようになっている。
【００５５】
なお、以上のような血液濾過ユニットにおいて、ガラス繊維濾紙収納室１１の直径は２０．１ｍｍ、同深さ５．９ｍｍ、微多孔性膜収納室１２の下端における直径２３．０ｍｍ、同上端における直径２２．５ｍｍ、同深さ２．１０ｍｍ、外壁２１の外周面下端の直径２０．９８ｍｍ、同下面からフランジ２４までの高さ２ｍｍ、内壁２２の内径１５．０ｍｍ、カップ２３の内径７．５ｍｍ、ガラス繊維濾紙３０の直径２０．０ｍｍ、同厚さ０．９１ｍｍのものを６枚、ポリスルホン多孔性膜４０の直径２０．９ｍｍ、同厚さ１５０μｍである。
【００５６】
別の血液濾過ユニットの例を図６〜８に示す。
【００５７】
この血液濾過ユニットは、図６に示すように、ホルダー本体１０と、その上部に密着固定された中蓋５０と上蓋６０からなっている。
【００５８】
このホルダー本体１０は図３のものと同じである。
【００５９】
前記中蓋５０は、上面が中央部を最深とするスリ鉢状濾過液受槽５１となっており、その中央部に濾過液出口５２が穿設されている。この濾過液出口５２は図７に示すようにテーパ面５３となっており、上部には段部５４が形成されている。この濾過液出口５２にはこの出口５２にぴったり嵌合する比重を約１．１に調製したゴムの栓体５８が嵌入されている。この栓体５８は濾過液流入時には図７右側に示すように濾過の際に付加される圧力によって開き濾過液を通過させる間隙５５を形成する。濾過液は出口５２の段部５４と栓体５８のフランジ５９によって流路を曲げられ、側方に斜め上方に噴出する。中蓋５０の底面には、１２個の突起５６が略均等な間隔で形成されており、この突起５６により、ポリスルホン多孔性膜４０が密着するのを防止している。中蓋５０の周縁にはホルダー本体１０のフランジ１４に溶接されるフランジ５７が形成されている。
【００６０】
上蓋６０は上に凸の椀形をしており、その中央には血液濾過の際の吸引と、濾過液分析の際のアナライザーの吸引ノズル（図示されていない。）を進入させるための開口６１が設けられている。また、周縁部には中蓋５０のフランジ５７に溶接するためのフランジ６２が形成されている。
【００６１】
図８はこの栓体５８の上昇範囲を規制する押さえ６３を設けた例を示すものである。この押さえ６３は円板６４とこれを上蓋６０に接続する２本の脚６５からなっている。
【００６２】
【発明の効果】
本発明により、多数の血液検体を連続的に濾過して分析用の血漿または血清を短時間に調製することができる。
【図面の簡単な説明】
【図１】  本発明の一実施例である血液連続濾過装置の構成を示す概略図である。
【図２】  本発明の別の実施例である血液連続濾過装置の構成を示す概略図である。
【図３】  本発明で使用される血液濾過ユニットの一例の縦断面図である。
【図４】  上記血液濾過ユニットの蓋体の平面図である。
【図５】  上記血液濾過ユニットの蓋体の底面図である。
【図６】  本発明で使用される別の血液濾過ユニットの縦断面図である。
【図７】  その中蓋底部の断面図である。
【図８】  その中蓋底部の断面図である。
【符号の説明】
１……マニホルド
２……血液濾過ユニット
３……枝管
４……弁
５……接続具
６……真空採血管
７……コンベア
８……フィーダ
９……ラック
１０…ホルダー本体
１１…ガラス繊維濾紙収納室
１２…微多孔性膜収納室
１３…傾斜部
１４…フランジ
１５…ガラス繊維濾紙載置部
１６…ロート状円板部
１７…ノズル状血液入口
１９…段部
２０…蓋体
２１…外壁
２２…内壁（吸引口）
２３…カップ
２４…フランジ
２５…リブ
２６…突起
２７…血漿通路
２８…庇
２９…流入部
３０…ガラス繊維濾紙
４０…ポリスルホン多孔性膜（微多孔性膜）
５０…中蓋
５１…濾過液受槽
５２…濾過液出口
５３…テーパ面
５４…段部
５５…間際
５６…突起
５７…フランジ
５８…栓体
５９…フランジ
６０…上蓋
６１…開口
６２…フランジ
６３…押さえ
６４…円板
６５…脚
７０…クランプ
【図１】
0003898834.tif 000002
【図２】
0003898834.tif 000003
【図３】
0003898834.tif 000004
【図４】
0003898834.tif 000005
【図５】
0003898834.tif 000006
【図６】
0003898834.tif 000007
【図７】
0003898834.tif 000008
【図８】
0003898834.tif 000009